(57)【特許請求の範囲】
【請求項１】
自動券売機の本体に投入された定期券に記録されているデータを読取る読取手段と、
読取られたデータの演算処理の結果、前記定期券の残存期間が継続定期券を購入できる所定期間以内、又はその定期券の有効期間が経過してから所定期間以内でその定期券を基に新たな定期券を発行できる場合は、その定期券の発売駅まで乗車できる定期券購入用乗車券を発行する発行制御手段と、
前記定期券購入用乗車券を発行したときに、前記定期券に定期券購入用乗車券発行済みのデータを書込む書込手段と、
を有することを特徴とする自動券売機。
【請求項２】
自動券売機の本体に投入された定期券に記録されているデータを読取る読取手段と、
読取られたデータを基に前記定期券の乗車区間内で乗車できる急行券や特急券等の特別券をその特別券の料金が前記自動券売機の本体に投入されることを条件に発行する発行制御手段と、
を有することを特徴とする自動券売機。
【発明の詳細な説明】
【０００１】
【発明の属する技術分野】
本発明は、例えば、定期券所持者が定期券発行駅まで乗車可能な乗車券を入手したり、あるいは、定期券の乗車区間内で利用できる急行券や特急券等を購入することのできる自動券売機に関する。
【０００２】
【従来の技術】
従来、定期券を発売する駅は、比較的大型の駅に限られている。したがって、定期券発売駅でない利用者が定期券を購入しようとするときは、利用者が定期券発売駅までの乗車券を購入するとともに、その乗車券に対して定期券購入用の印を係員に押してもらい、その乗車券を定期券発売駅で定期券購入時に払戻しを受けるようにしたり、あるいは、駅の係員から定期券発行駅まで乗車可能な無料の乗車券を入手し、その入手した乗車券で定期券発行駅まで乗車して定期券を購入するようにしている。また、定期券の乗車区間内で急行列車等の特別な列車に乗車するときは、定期券を駅係員に提示して急行券等を購入していた。
【０００３】
【発明が解決しようとする課題】
上述のように、定期券を購入したり、定期券を基に急行券等を購入する場合は、駅係員に申出る必要があり、係員の負担が増加する欠点があった。
【０００４】
そこで、本発明は、上記欠点を解決するためになされたものであって、その目的は、係員の負担を軽減することのできる自動券売機を提供することにある。
【０００５】
【課題を解決するための手段】
本発明の請求項１に係る自動券売機は、上記目的を達成するために、自動券売機の本体に投入された定期券に記録されているデータを読取る読取手段と、読取られたデータの演算処理の結果、前記定期券の残存期間が継続定期券を購入できる所定期間以内、又はその定期券の有効期間が経過してから所定期間以内でその定期券を基に新たな定期券を発行できる場合は、その定期券の発売駅まで乗車できる定期券購入用乗車券を発行する発行制御手段と、前記定期券購入用乗車券を発行したときに、前記定期券に定期券購入用乗車券発行済みのデータを書込む書込手段と、を有することを特徴としている。
また、本発明の請求項２に係る自動券売機は、上記目的を達成するために、自動券売機の本体に投入された定期券に記録されているデータを読取る読取手段と、読取られたデータを基に前記定期券の乗車区間内で乗車できる急行券や特急券等の特別券をその特別券の料金が前記自動券売機の本体に投入されることを条件に発行する発行制御手段と、
を有することを特徴とする自動券売機。
【０００６】
【発明の実施の形態】
以下、本発明の実施の形態を図面に基づいて説明する。図１は、一実施の形態に係る自動券売機の電気的構成のブロック図であって、ＲＯＭ１に格納されているシステムプログラム及びＲＡＭ２に格納されているワーキングデータを用いて演算処理する中央処理部（ＣＰＵ）３を有している。
【０００７】
ＣＰＵ３は、Ｉ／Ｏユニット４を介して図示しない自動券売機の本体（以下、「本体」という）に設けられている原券投入口に投入された本発明の乗車類に当たる定期券イに記録されているデータを読取る磁気ヘッドを含んで構成される原券処理ユニット５と、本体に投入された硬貨及び紙幣の金銭を検銭し、必要に応じて釣銭を放出する金銭処理ユニット６と、本体の設置駅から乗車可能な普通券の他に、図２に示されるような、本体の設置駅から定期券発売駅まで乗車できる定期券購入用乗車券（本発明の発行される特定の乗車券類に該当）を発券する発券処理ユニット７と、普通券購入時の口座釦群を表示するとともに定期券発売駅を表示し、表示箇所を押下することにより所定の情報を入力することのできるタッチパネル式の表示入力ユニット８とが接続されている。
【０００８】
次に、図３のフローチャートを用いて、本体から定期券購入用乗車券ロが発行される制御動作について説明する。
【０００９】
今、本体が定期券発行駅でないＡ駅に設置されているものとし、また、Ｂ駅を定期券発行駅として説明する。利用者が本体の原券処理ユニット５に定期券イを投入すると（ステップ１００肯定。以下、ステップを「Ｓ」とする。）、その定期券イに記録されているデータが読取られる（Ｓ１０２）。
【００１０】
読取られたデータの演算処理の結果、定期券イの残存期間が継続定期券を購入できる所定期間以内、又は定期券イの有効期間が経過してから所定期間内で、その定期券イを基に新たな定期券を発行できる場合は（Ｓ１０４肯定）、Ａ駅を中心にして定期券を発行する駅が表示入力ユニット８に表示される（Ｓ１０６）。
【００１１】
表示された駅のうち、所定の駅（Ｂ駅）がタッチ（押下）されると（Ｓ１０８）、Ａ駅からＢ駅まで乗車可能な定期券購入用乗車券ロが発券処理ユニット７から発行されるとともに、定期券イが返却される（Ｓ１１０）。返却される定期券イには、定期券購入用乗車券発行済みのデータが書込まれる。これにより、一つの定期券を基に複数の定期券購入用乗車券の発券を防止することができる。
【００１２】
利用者は、発券された定期券購入用乗車券ロを用いてＡ駅からＢ駅まで乗車して、そのＢ駅で定期券を購入することができる。
【００１３】
なお、上述の例では、定期券を発行できる駅を複数個表示して利用者に選択させるようにしたが、このような選択動作を省略して、Ａ駅からいずれの定期券発行駅までも乗車できる定期券購入用乗車券を発券するようにしてもよい。
【００１４】
定期券イを基に、その定期券イの乗車区間内で乗車できる急行券や特急券等の特別券（以下、急行券で説明する。）を購入する場合は、定期券イを本体に投入すると、表示入力ユニット８の表示画面に定期券イの乗車区間内で利用できる複数の急行列車の乗車区間が表示される。
【００１５】
表示された急行列車の乗車区間のうちの所定の乗車区間をタッチし、かつ、そのタッチした乗車区間の急行料金を本体に投入すると、発券処理ユニット６から急行券が発券され、また、投入した定期券イが返却される。したがって、利用者は、定期券イ及び急行券を用いて急行列車に乗車することができる。
【００１６】
上述の例は、急行券の発券を示したが特急券等であってもよいことはもちろんである。また、原券を定期券としたが、これを、例えば回数券や回数券カード等にすることもできる。
【００１７】
以上のように、定期券を本体に投入することにより、定期券購入用乗車券や急行券等が発券されるので、駅係員の負担を軽減することができる。
【００１８】
【発明の効果】
本発明の請求項１に係る自動券売機は、本体に投入された定期券に記録されているデータを読取る読取手段と、読取られたデータの演算処理の結果、前記定期券の残存期間が継続定期券を購入できる所定期間以内、又はその定期券の有効期間が経過してから所定期間以内でその定期券を基に新たな定期券を発行できる場合は、その定期券の発売駅まで乗車できる定期券購入用乗車券を発行する発行制御手段と、前記定期券購入用乗車券を発行したときに、前記定期券に定期券購入用乗車券発行済みのデータを書込む書込手段とからなるので、利用者自身で定期券購入用乗車券を入手することができ、駅係員の負担を軽減することができる。また、定期券に定期券購入乗車券発行済みのデータが書込まれるので、一つの定期券で複数枚の定期券購入用乗車券が発行されるのを効果的に防止することができる。
また、本発明の請求項２に係る自動券売機は、本体に投入された定期券に記録されているデータを読取る読取手段と、読取られたデータを基に前記定期券の乗車区間内で乗車できる急行券や特急券等の特別券をその特別券の料金が前記本体に投入されることを条件に発行する発行制御手段とからなるので、利用者自身で急行券や特急券等の特別券を入手することができ、駅係員の負担を軽減することができる。
【図面の簡単な説明】
【図１】本発明の一実施の形態に係る自動券売機の電気的構成を示すブロック図である。
【図２】定期券購入用乗車券の正面図である。
【図３】制御動作を示すフローチャートである。
【符号の説明】
１  ＲＯＭ
２  ＲＡＭ
３  ＣＰＵ
４  Ｉ／Ｏユニット
５  原券処理ユニット
６  金銭処理ユニット
７  発券処理ユニット
８  表示入力ユニット
イ  定期券
ロ  定期券購入用乗車券
【図１】
0003597358.tif 000002
【図２】
0003597358.tif 000003
【図３】
0003597358.tif 000004